(57)【特許請求の範囲】
【請求項１】
筐体と、
前記筐体に対して着脱可能であり、本装置に電力供給を行うことができるバッテリーユニットと、
前記筐体に対して着脱可能であり、情報媒体にデータを記録または再生可能なドライブユニットと、
前記ドライブユニットを閉塞可能なカバーとを備えた情報処理装置であって、
前記カバーは、前記ドライブユニットを閉塞する閉塞位置と、前記ドライブユニットを開放可能な開放可能位置との間を変位可能であり、
前記バッテリーユニットが前記筐体に装着されている状態において、前記カバーは、前記バッテリーユニットにより前記閉塞位置に位置規制されており、
前記カバーは前記閉塞位置において前記筐体との間と一部隙間を空けて配置され、
前記カバーは、前記閉塞位置から前記開放可能位置まで前記バッテリーユニットが前記カバーを位置規制する方向でかつ前記隙間の方向に対して変位可能であり、
前記カバーは、前記開放可能位置において前記情報処理装置に少なくとも一部が位置規制されている、情報処理装置。
【請求項２】
前記カバーは、
前記閉塞位置で、前記筐体の一部に係合し、
前記開放可能位置で、前記筐体の一部との係合が外れる、請求項１記載の情報処理装置。
【発明の詳細な説明】
【技術分野】
【０００１】
本発明は、ノート型パ−ソナルコンピュータ（以下、ノートパソコンと称する）などの情報処理装置に関する。特に、情報処理装置の筐体構造に関する。
【背景技術】
【０００２】
近年、ノートパソコンの普及が進み、機能だけに限らず、様々な形式のものが市場で売られている。
【０００３】
ノートパソコンは、一般的に充電式のバッテリーからの給電により駆動する。バッテリーは、ノートパソコンにおける所定の位置に着脱可能である。また、最近のノートパソコンは、例えばハードディスクドライブ（以下、ＨＤＤと称する）やシリコンディスクドライブなどの記憶媒体を着脱可能に搭載しているものがある。このようなノートパソコンに対して例えば着脱可能なＨＤＤでは、劣化や故障による交換、記憶容量アップ、データ移動を主な用途とする。ＨＤＤをノートパソコンから取り外す場合は，まずＨＤＤを覆うハードディスクカバー（ＨＤＤカバー）を取り外し、次にＨＤＤ接続コネクタを外し、さらにＨＤＤをノートパソコンから取り出す順番が一般的である。
【０００４】
特許文献１には、ＨＤＤを情報処理装置に対して着脱可能であり、情報処理装置を外部の固定場所に固定した時にＨＤＤを着脱できない構成が開示されている。また、特許文献２には、バッテリーと着脱可能なＨＤＤとを重ねて内蔵した構成が開示されている。また、特許文献３には、情報処理装置に対して着脱可能なＨＤＤをロック可能なロック機構およびそのロック制御方法が開示されている。また、特許文献４には、電池パック内に着脱可能なＨＤＤの構成が開示されている。また、特許文献５には、情報処理装置から電池が取り外される際に、ＨＤＤのヘッドを退避させディスクを保護する構成が開示されている。
【特許文献１】特開平６−１１９０８２号公報
【特許文献２】特開２００２−１８２７８８号公報
【特許文献３】特開２００６−２５９７９７号公報
【特許文献４】特開２００７−１３４１０５号公報
【特許文献５】特開２００７−１５０９５３号公報
【発明の開示】
【発明が解決しようとする課題】
【０００５】
しかしながら、従来の構成ではＨＤＤカバーを取り外してＨＤＤをノートパソコンから取り外す際、バッテリーからの給電によりノートパソコンの電源が入っている場合がある。ＨＤＤが通電及び動作状態であるにも関わらず、ＨＤＤがノートパソコンから取り外された場合、ＨＤＤ内の磁気ヘッドがディスク面に損傷を与え、データの記録再生ができなくなる可能性がある。最悪の場合には、ディスクの全記録面が使用不可となる。
【０００６】
本発明の目的は、ＨＤＤを取り外す際に、バッテリーユニットを先に離脱しないとＨＤＤを離脱できないため、ＨＤＤが損傷するのを防止することができる情報処理装置を提供することである。
【課題を解決するための手段】
【０００７】
本発明の情報処理装置は、筐体と、前記筐体に対して着脱可能であり、本装置に電力供給を行うことができるバッテリーユニットと、前記筐体に対して着脱可能であり、情報媒体にデータを記録または再生可能なドライブユニットと、前記ドライブユニットを閉塞可能なカバーとを備えた情報処理装置であって、前記カバーは、前記ドライブユニットを閉塞する閉塞位置と、前記ドライブユニットを開放可能な開放可能位置との間を変位可能であり、前記バッテリーユニットが前記筐体に装着されている状態において、前記カバーは、前記バッテリーユニットにより前記閉塞位置に位置規制されており、前記カバーは前記閉塞位置において前記筐体との間と一部隙間を空けて配置され、前記カバーは、前記閉塞位置から前記開放可能位置まで前記バッテリーユニットが前記カバーを位置規制する方向でかつ前記隙間の方向に対して変位可能であり、前記カバーは、前記開放可能位置において前記情報処理装置に少なくとも一部が位置規制されているものである。
【発明の効果】
【０００８】
本発明は、ドライブユニットを覆っているカバーを取り外さないとバッテリーを取り外すことができない構成としたことにより、本装置にバッテリーから給電が行われている状態でドライブユニットが取り外されることを防止し、ドライブユニットが損傷することを防止することができる。
【０００９】
特に、ＨＤＤを交換する際に、ＨＤＤカバーを取り外す前にバッテリーパックを取り外すことが必須となるので、ＨＤＤに通電を行ったままＨＤＤの着脱作業が行われることがなく、ＨＤＤの損傷を防止することができる。
【発明を実施するための最良の形態】
【００１０】
本発明の情報処理装置は、上記構成を基本として以下の態様をとることができる。すなわち、本発明の情報処理装置において、前記カバーは、前記閉塞位置で、前記筐体の一部に係合し、前記開放可能位置で、前記筐体の一部との係合が外れる構成とすることができる。
【００１１】
（実施の形態）
図１は、実施の形態における情報処理装置の一例であるノートパソコンの外観を示す斜視図である。
【００１２】
図１に示すように、ノートパソコンは、第１の筐体１と第２の筐体２とから構成されている。第１の筐体１は、その上面１ａにキーボード３を備え、中央演算処理装置（ＣＰＵ）や電気回路基板などを内蔵している。第２の筐体２は、液晶モニタ７を備えている。第１の筐体１及び第２の筐体２は、樹脂または軽金属（例えばアルミニウム、マグネシウム、アルミニウム合金、マグネシウム合金のいずれか）により形成されている。第１の筐体１と第２の筐体２とは、ヒンジ機構６によって矢印Ａ及びその逆方向に回動自在に結合している。なお、図１に示す状態を第１の状態と定義し、図１に示す第１の状態から第２の筐体２を矢印Ａに示す方向へ回動させ、液晶モニタ７とキーボード３とが微小隙間を挟んで対向させた状態を第２の状態と定義する。
【００１３】
図２は、第１の筐体１の下面１ｂの構成を示す平面図である。図３は、第１の筐体１の背面１ｄの構成を示す背面図である。図４は、ノートパソコンを第２の状態にしたときの下面１ｂ側の斜視図である。図２〜図４に示すように、第１の筐体１の下面１ｂ及び背面１ｄの一部を形成するようにバッテリーユニット４及びハードディスクドライブカバー５（以下、カバー５と称する）を備えている。バッテリーユニット４及びカバー５は、第１の筐体１に対して着脱可能である。
【００１４】
バッテリーユニット４は、充電式の電池を内蔵し、ノートパソコンに電力を供給することができる。また、バッテリーユニット４は、前面４６にスライドツマミ４１及び４２を備えている。スライドツマミ４１は、バネなどの付勢手段により図３及び図４に示す位置に常に付勢され、図３及び図４に示す位置から矢印Ｂに示す方向へスライド可能に配されている。スライドツマミ４２は、バネなどの付勢手段により図３及び図４に示す位置に常に付勢され、図３及び図４に示す位置から矢印Ｃに示す方向へスライド可能に配されている。また、スライドツマミ４１及び４２は、ロック爪４３（図５を参照して後述）が一体的に設けられている。これにより、スライドツマミ４１及び４２が図３及び図４に示す位置にある時は、ロック爪４３が第１の筐体１のバッテリー装着部１１（図５を参照して後述）に配された凹部１１ｂに嵌合し、バッテリーユニット４が第１の筐体１に保持されている。なお、ロック爪４３は、バッテリーユニット４における側面４４とその反対面にも配されている（図示省略）。よって、ロック爪４３を嵌合可能な凹部１１ｂは、凹部１１ｂが配された内面に対向する内面にも形成されている（図示省略）。また、バッテリーユニット４は、背面４５に、ノートパソコンに配された電極１１ａ（図５を参照して後述）に電気的に接続可能な電極（不図示）を備えている。また、バッテリーユニット４は、背面４５から突出するように突起部（不図示）を備えている。
【００１５】
カバー５は、バッテリーユニット４に隣接する位置に配されている。カバー５は、第１の筐体１におけるＨＤＤ装着部１４（図７を参照して後述）を覆うように配されている。詳しい構成については後述するが、カバー５は、バッテリーユニット４を第１の筐体１から取り外さないと、第１の筐体１から取り外すことができないように構成されている。
【００１６】
以下、バッテリーユニット４及びカバー５の第１の筐体１に対する着脱方法について説明する。
【００１７】
図２〜図４は、バッテリーユニット４及びカバー５が第１の筐体１に装着されている状態を示す。図５は、バッテリーユニット４を第１の筐体１から離脱させた状態を示す。図６は、カバー５をスライドさせた状態を示す。図７は、カバー５、ＨＤＤ８を第１の筐体１から離脱させた状態を示す。
【００１８】
まず、図２〜図４に示す状態では、バッテリーユニット４は、ロック爪４３（図５参照）が第１の筐体１に配された凹部１１ｂ（図５参照）に嵌合していることで、Ｚ軸方向の位置が規制されている。また、バッテリーユニット４は、背面４５に配された２カ所の突起部（不図示）が第１の筐体１に配された凹部１１ｃ及び１１ｄに嵌合していることで、Ｘ軸方向の位置が規制されている。これにより、バッテリーユニット４は、第１の筐体１におけるバッテリー装着部１１（図５参照）に保持されている。この時、バッテリーユニット４の背面４５に配された電極（不図示）が、第１の筐体１に配された電極１１ａに電気的に接触していることにより、バッテリーユニット４内の充電池からノートパソコンへ電力を供給することができる。
【００１９】
また、カバー５は、ＨＤＤ８（図７参照）を閉塞する位置にある。また、図２に示すように、カバー５は、その側面５８がバッテリーユニット４の側面４４に当接していることにより、Ｙ軸方向の位置が規制されている。また、カバー５は、突起部５２がバッテリーユニット４の背面４５に当接し、前面５５の下端に形成された爪部５６及び５７（図７参照）が第１の筐体１に係合していることにより、Ｚ軸方向の位置が規制されている。また、図３に示すように、カバー５は、突起部５１が第１の筐体１の突起部１２に係合し、爪部５３が孔部１５に嵌合し、爪部５４が孔部１６に嵌合していることにより、Ｘ軸方向の位置が規制されている。以上のように、カバー５は、Ｘ軸、Ｙ軸、およびＺ軸の全ての方向に対して位置が規制されて、第１の筐体１に保持されている。なお、本実施の形態では、カバー５は、図２〜図４に示す状態においてネジによって第１の筐体１に固定されていることにより、さらに第１の筐体１から容易に離脱できない構成になっている。
【００２０】
次に、バッテリーユニット４を第１の筐体１から取り外す。具体的には、図４に示す状態において、スライドツマミ４１を矢印Ｂに示す方向へスライドさせ、スライドツマミ４２を矢印Ｃに示す方向へスライドさせる。これにより、スライドツマミ４１に一体的に設けられたロック爪４３（図５参照）とスライドツマミ４２に一体的に設けられたロック爪（不図示）が第１の筐体１の凹部１１ｂ（図５参照）から離脱し、バッテリーユニット４を矢印Ｄに示す方向へスライド可能な状態になる。次に、バッテリーユニット４を矢印Ｄに示す方向へスライドさせて、図５に示すようにバッテリーユニット４を第１の筐体１から離脱させる。これにより、バッテリーユニット４における電極と第１の筐体１に配された電極１１ａ（図５参照）とを分離させることができ、バッテリーユニット４とノートパソコンとを電気的に導通していない状態にすることができる。なお、図５に示す状態では、カバー５は、Ｘ軸方向とＺ軸方向の位置が規制されている。
【００２１】
次に、カバー５を第１の筐体１から取り外す。具体的には、図５に示す状態において、カバー５は、バッテリーユニット４が第１の筐体１から離脱したことにより、Ｙ軸方向へ移動が可能な状態になる。さらに、カバー５は、突起部５２と第１の筐体１の当接面１３と間には隙間Ｗ（図２参照）があるため、矢印Ｅに示す方向へ移動させることができる。
【００２２】
図６は、カバー５を矢印Ｅに示す方向へ移動させ、開放可能位置まで移動させた状態を示す。図６に示す状態では、突起部５２と当接面１３とが当接している。また、図６に示す状態では、第１の筐体１の突起部１２とカバー５の突起部５１の係合状態が解除されているため、カバー５を矢印Ｆに示す方向へ移動させることができる。この状態から、カバー５の前面５５側を矢印Ｆに示す方向へ移動させることで、カバー５は爪部５３及び５４を軸に回動し、爪部５６及び５７をリブ１７から離脱させることができる。爪部５６及び５７をリブ１７から離脱させた後、カバー５を矢印Ｇに示す方向へ移動させることで、爪部５３を孔部１５から離脱させ、爪部５４を孔部１６から離脱させることができる。これにより、図７に示すようにカバー５を第１の筐体１から離脱させることができる。
【００２３】
図７に示すように、カバー５を第１の筐体１から離脱させることにより、ＨＤＤ装着部１４に装着されたＨＤＤ８を露出させることができる。ＨＤＤ８は、ネジなどの固定手段によりＨＤＤ装着部１４に固定されている。また、ＨＤＤ８は、入出力端子を備え、その入出力端子とノートパソコン側に配された入出力端子とがケーブル（不図示）を介して接続されている。ＨＤＤ８を第１の筐体１から離脱させる際は、ケーブルとＨＤＤ８に配された入出力端子とを分離させ、ＨＤＤ８を固定しているネジを取り外す。これにより、図７における矢印Ｌに示すように、ＨＤＤ８を第１の筐体１から離脱させることができる。
【００２４】
また、図７に示す状態から、ＨＤＤ８をノートパソコンに装着する際は、前述の離脱方法の逆手順にて行う。すなわち、まず、図７に示すように、第１の筐体１のＨＤＤ装着部１４にＨＤＤ８を装着する。次に、図６に示すように、カバー５をＨＤＤ装着部１４に装着し、カバー５を矢印Ｋに示す方向へスライドさせ、図５に示す状態にする。次に、図４に示すように、バッテリーユニット装着部１１にバッテリーユニット４を装着する。
【００２５】
本実施の形態によれば、ＨＤＤ８をノートパソコンから離脱する際、ＨＤＤ８を閉塞しているカバー５を取り外す前にバッテリーユニット４を取り外すことが必須となるので、バッテリーユニット４からノートパソコンへの電力供給を停止してから、ＨＤＤ８を離脱することになる。したがって、ＨＤＤ８をノートパソコンに対して離脱する際に、バッテリーユニット４からノートパソコンに電力が供給されていることはなく、ＨＤＤ８に通電が行われていることはない。よって、ＨＤＤ８の破損を防止することができる。
【００２６】
なお、本実施の形態では、バッテリーユニット４を第１の筐体１に装着していることでカバー５の位置を規制する構成としたが、カバー５と同等の構成を持つＨＤＤであっても、本実施の形態と同様の効果を得ることができる。
【００２７】
また、本実施の形態では、カバー５は、ＨＤＤ装着部１４の上方に離脱する構成としたが、バッテリーユニット装着部１１にスライド可能に支持された構成としてもよい。このような構成において、ノートパソコンからＨＤＤを離脱する際は、まずバッテリーユニット４を第１の筐体から離脱（本実施の形態と同様の手順）させ、次にカバー５をＨＤＤ装着部１４からバッテリーユニット装着部１１側へスライドさせる。カバー５がバッテリーユニット装着部１１上まで移動すると、ＨＤＤが露出する。次に、本実施の形態と同様の手順でＨＤＤを第１の筐体１から離脱させる。なお、カバー５は、ＨＤＤ装着部１４に位置している時は、バッテリーユニット５によってスライドしないように位置規制されている。
【００２８】
また、本実施の形態では、ＨＤＤ８をノートパソコンに対して着脱可能な構成としたが、シリコンディスクドライブ（ＳＤＤ）や光ディスクドライブ等のノートパソコンに対して着脱可能な記録再生装置であっても同様の効果が得られる。
【００２９】
また、本実施の形態におけるＨＤＤ８は、本発明のドライブユニットの一例である。本実施の形態ではドライブユニットの一例としてＨＤＤを挙げたが、光学ディスクにデータを記録または再生可能なドライブや、メモリーカードなどのように半導体メモリーを内蔵した情報媒体にデータを記録または再生可能なドライブであってもよい。
【００３０】
また、本実施の形態では、情報処理装置の一例としてノートパソコンを挙げて説明したが、少なくとも装置本体に対して着脱可能なバッテリー及びディスクドライブを備えた構成であれば、本実施の形態と同様の効果が得られる。情報処理装置の例としては、例えば、ＰＤＡ（personal digital assistance）、携帯型ゲーム機、携帯型医療機器などがある。
【産業上の利用可能性】
【００３１】
本発明の情報処理装置は、ノートパソコンなどのようにバッテリー駆動する機器に有用である。
【図面の簡単な説明】
【００３２】
【図１】実施の形態における情報処理装置の外観を示す斜視図
【図２】バッテリーユニット及びカバーが第１の筐体に装着されている状態を示す平面図
【図３】バッテリーユニット及びカバーが第１の筐体に装着されている状態を示す背面図
【図４】バッテリーユニット及びカバーが第１の筐体に装着されている状態を示す斜視図
【図５】バッテリーユニットを第１の筐体から離脱させた状態を示す斜視図
【図６】カバーをスライドさせた状態を示す斜視図
【図７】カバー、ＨＤＤを第１の筐体から離脱させた状態を示す斜視図
【符号の説明】
【００３３】
４  バッテリーユニット
５  カバー
８  ＨＤＤ
【図１】
0004950965.tif 000002
【図２】
0004950965.tif 000003
【図３】
0004950965.tif 000004
【図４】
0004950965.tif 000005
【図５】
0004950965.tif 000006
【図６】
0004950965.tif 000007
【図７】
0004950965.tif 000008